(57)【要約】【課題】  洗濯物に取り付けられた無線情報タグの情報を確実に読み取って、効率良く洗濯物を洗濯することができる洗濯装置及び乾燥装置を提案する。【解決手段】  無線情報タグを取り付けた洗濯物の投入口５を有する洗濯槽１５と、投入口５の周囲に沿って配置され、無線情報タグの情報を受信するアンテナ４０とを備える。【選択図】      図１
2006075527.tif 000002
【特許請求の範囲】
【請求項１】
無線情報タグを取り付けた洗濯物の投入口を有する洗濯槽と、
前記投入口の周囲に沿って配置され、前記無線情報タグの情報を受信するアンテナと、
を備えることを特徴とする洗濯装置。
【請求項２】
前記アンテナにおいて受信された情報を読み取る情報読み取り部と、
前記読み取られた情報に基づいて洗濯処理を実行する制御部と、
を備えることを特徴とする請求項１記載の洗濯装置。
【請求項３】
前記アンテナは、前記投入口の周囲に沿って巻回されたループアンテナである
ことを特徴とする請求項１記載の洗濯装置。
【請求項４】
前記アンテナは、前記投入口の周囲に配置されたダイポールアンテナである
ことを特徴とする請求項１記載の洗濯装置。
【請求項５】
前記アンテナは、前記投入口の周囲に配置された複数のアンテナ群である
ことを特徴とする請求項１記載の洗濯装置。
【請求項６】
洗濯槽と、
前記洗濯槽の内部に交信領域が設定されたアンテナと、
を備えることを特徴とする洗濯装置。
【請求項７】
前記アンテナを介して受信された情報に基づいて、前記洗濯槽の内部に投入される洗濯物に取り付けられた無線情報タグの情報を読み取る情報読み取り部と、
前記読み取られた情報に基づいて洗濯処理を実行する制御部と、
を備えることを特徴とする請求項５記載の洗濯装置。
【請求項８】
無線情報タグを取り付けた洗濯物の投入口を有する洗濯槽と、
前記投入口を開閉する扉部と、
前記扉部の一部に配置され、前記無線情報タグの情報を受信するアンテナと、
を備えることを特徴とする洗濯装置。
【請求項９】
前記アンテナにおいて受信された情報を読み取る情報読み取り部と、
前記読み取られた情報に基づいて洗濯処理を実行する制御部と、
を備えることを特徴とする請求項８記載の洗濯装置。
【請求項１０】
無線情報タグを取り付けた洗濯物の投入口を有する乾燥室と、
前記投入口の周囲に沿って配置されたアンテナと、
を備えることを特徴とする乾燥装置。
【請求項１１】
前記アンテナにおいて受信された情報を読み取る情報読み取り部と、
前記読み取られた情報に基づいて乾燥処理を実行する制御部と、
を備えることを特徴とする請求項１０記載の乾燥装置。
【発明の詳細な説明】
【技術分野】
【０００１】
本発明は、衣類等を洗濯する洗濯装置及び衣類等の洗濯物を乾燥させる乾燥装置に関する。
【背景技術】
【０００２】
衣類においては、繊維の種類、製造方法、大きさ、衣類の種別等に応じて洗濯条件が決められている。この洗濯条件としては、例えば、洗濯時の水温、ドライクリーニングの適否、塩素系漂白剤の使用の適否、中性洗剤の使用の適否、蛍光洗剤の使用の適否、色落ちの有無等があり、これらの洗濯条件は、衣類の一部に縫い付けられた布ラベルに表記されている。
【０００３】
一方、洗濯装置においては、洗濯時の水温、水量、洗濯時間、脱水時間等、洗濯動作を種々設定し得るようになされており、ユーザは、衣類に縫い付けられた布ラベルに表記された洗濯条件を確認した上で、洗濯装置に対して手動により衣類の洗濯条件に合致した各種の洗濯動作を設定していた。
【０００４】
また近年、洗濯条件を記憶したＲＦＩＤ（Radio Frequency Identification）と呼ばれるＩＣ（Integrated Circuits）タグを衣類等に装着すると共に、洗濯装置においては、このＩＣタグとの間で通信を行なう通信装置を設け、洗濯槽の内部に投入された衣類の洗濯条件をこの通信装置によりＩＣタグから読み取って、洗濯装置の制御部により洗濯条件に応じた洗濯動作を設定するようになされたものが提案されている（特許文献１）。
【０００５】
このような洗濯装置においては、ユーザが衣類の洗濯条件を確認してこの洗濯条件に合致した洗濯動作を手動により設定するといった煩雑な操作を回避し得ると考えられる。
【特許文献１】特開２００４−１７４０４３号公報
【発明の開示】
【発明が解決しようとする課題】
【０００６】
しかしながら、この特許文献１に記載されている洗濯装置においては、衣類から洗濯条件を読み取るための通信装置に関して、そのアンテナの配置については配慮されていない。すなわち、アンテナの配置によっては洗濯する衣類等の洗濯条件等を確実に読み取ることが困難になり、洗濯槽に投入された衣類に応じた洗濯制御を確実に行なうことが困難になる。
【０００７】
本発明は、このような技術的課題を解決するためになされたものであり、本発明の目的は、洗濯物に取り付けられた無線情報タグの情報を確実に読み取って、効率良く洗濯物を洗濯することができる洗濯装置及び乾燥装置を提供することである。
【課題を解決するための手段】
【０００８】
本発明の実施の形態に係る第１の特徴は、無線情報タグを取り付けた洗濯物の投入口を有する洗濯槽と、投入口の周囲に沿って配置され、無線情報タグの情報を受信するアンテナとを備えたことである。
【０００９】
本発明の実施の形態に係る第２の特徴は、洗濯槽と、洗濯槽の内部に交信領域が設定されたアンテナとを備えたことである。
【００１０】
本発明の実施の形態に係る第３の特徴は、無線情報タグを取り付けた洗濯物の投入口を有する洗濯槽と、投入口を開閉する扉部と、扉部の一部に配置され、無線情報タグの情報を受信するアンテナとを備えたことである。
【００１１】
本発明の実施の形態に係る第４の特徴は、無線情報タグを取り付けた洗濯物の投入口を有する乾燥室と、投入口の周囲に沿って配置されたアンテナとを備えたことである。
【発明の効果】
【００１２】
本発明によれば、洗濯物に取り付けられた無線情報タグの情報を確実に読み取ることができ、これにより効率良く洗濯物を洗濯することができる。
【発明を実施するための最良の形態】
【００１３】
以下、本発明の実施の形態について図面を参照して詳細に説明する。
【００１４】
（第１の実施の形態）
図１に示すように、本発明の第１の実施の形態に係る洗濯乾燥装置１は、無線情報タグであるＲＦＩＤを取り付けた洗濯物の投入口５を有する洗濯槽１５と、投入口５の周囲に沿って配置され、ＲＦＩＤの情報を受信するアンテナ４０とを備える。
【００１５】
すなわち図２に示すように、洗濯乾燥装置１においては、内部に洗濯槽を有する筐体３の前面部４に衣類を出し入れするための投入口５が設けられ、この投入口５は、扉部６により開閉自在となっている。
【００１６】
投入口５は、内径が約３５０ｍｍの内壁部８により形成され、この内壁部８には、ゴムパッキン１０が設けられている。扉部６は、全体が樹脂製の円板部材により構成され、投入口５のゴムパッキン１０に嵌め合わされる環状の樹脂部材１１が後面側に設けられている。また扉部６は、投入口５に対して蝶番１２により開閉自在に枢支され、取っ手１３により開閉し得るようになされている。
【００１７】
これにより図３に示すように、扉部６を閉じると、投入口５が閉塞され、内部の洗濯槽を外部から遮蔽することができる。また図４に示すように、扉部６を開くと、投入口５が開放され、この投入口５を介して外部から内部の洗濯槽に衣類等の洗濯物を投入することができると共に、内部の洗濯物を外部に取り出すことができる。
【００１８】
また前面部４の上部には、押しボタン等により構成され洗濯乾燥モードの指定等を行なうための操作部２６及び洗濯乾燥動作に関する種々の情報を表示する表示部２７が設けられている。
【００１９】
図１に示すように、洗濯乾燥装置１の内部には、洗濯槽１５が設けられ、この洗濯槽１５には、円筒形状の側面１６Ａを有する容器形状の洗濯ドラム１６が支持機構（図示せず）により回転自在に枢支されている。すなわち、この洗濯ドラム１６は、一方の端部が閉塞されると共に他方の端部が開放された容器形状に形成されており、その開放端部が筐体３の投入口５に対向するように支持されている。この洗濯ドラム１６は、所定の回転支持機構（図示せず）によりその円筒形状の中心軸線を回転中心として回転自在に枢支され、モータ１８により回転駆動される。
【００２０】
また洗濯槽１５には給水機構３１及び排水機構３２が設けられており給水機構３１により洗濯槽１５の内部に給水すると共に、排水機構３２により洗濯槽１５に溜められた水等を排水するようになされている。洗濯槽１５の内部にはヒータ３３が設けられており、このヒータ３３により洗濯層５に給水された水等を加熱することができる。
【００２１】
さらに洗濯槽１５には送風ヒータ３５が設けられており、この送風ヒータ３５から洗濯槽５の内部に洗濯物を乾燥させるための温風を供給するようになされている。
【００２２】
これらのモータ１８、給水機構３１、排水機構３２、ヒータ３３及び温風ヒータ３５は、洗濯乾燥装置１の動作を制御する制御部２０によりそれぞれ制御される。
【００２３】
図５に示すように、制御部２０は、ＣＰＵ２１にデータバス２８を介してＲＯＭ（Read Only Memory）２２、ＲＡＭ（Random access Memory）２３、ＲＦＩＤリーダライタ５０（図１）との間で通信を行うためのＲＳ２３２Ｃインターフェイス２４、モータ１８、給水機構３１、排水機構３２、ヒータ３３及び温風ヒータ３５に対してそれぞれ制御信号を供給するためのインターフェイス２５、押しボタン等により構成される操作部２６及び洗濯乾燥動作に関する種々の情報を表示する表示部２７が接続されている。ＣＰＵ２１は、ＲＯＭ２２に格納されている制御プログラムにより洗濯乾燥装置１の動作を制御するようになされ、ＲＳ２３２Ｃインターフェイス２４を介して情報の読み取り部及び書き込み部であるＲＦＩＤリーダライタ５０との間で通信を行うことにより、送信する情報をＲＦＩＤリーダライタ５０からアンテナ４０を介して送信し、またＲＦＩＤリーダライタ５０においてアンテナ４０を介して受信した情報を受け取る。ＣＰＵ２１は、この受け取った情報をＲＡＭ２３に格納すると共に、この情報に基づいて、洗濯乾燥装置１のモータ１８、給水機構３１、排水機構３２、ヒータ３３及び温風ヒータ３５をそれぞれ制御する。
【００２４】
ここで図１において、筐体３の前面部４は、金属板により構成されており、この前面部４において投入口５を形成する開口縁部４Ａには、ゴムパッキン１０の一方の開口端面に形成された折り返し部１０Ａを嵌め合わせるためのフランジ４Ｂが形成されている。一方、前面部４の開口縁部４Ａに対向する洗濯槽１５側の開口縁部１５Ａにおいても、ゴムパッキン１０の他方の開口端面に形成された折り返し部１０Ｂを嵌め合わせるためのフランジ１５Ｂが形成されている。このフランジ４Ｂ、１５Ｂにゴムパッキン１０の折り返し部１０Ａ、１０Ｂを嵌め合わせることにより、このゴムパッキン１０により投入口５の内壁部８が構成される。これにより洗濯槽１５の内部空間と外部空間とが投入口５を介して連通するようになされている。
【００２５】
投入口５の内壁部８に設けられたゴムパッキン１０の周側面１０Ｃには、周方向に導線４１が巻回されてループ状のアンテナ４０が形成されている。このアンテナ４０は、金属で構成されている前面部４のフランジ４Ａ及び洗濯槽１５のフランジ１５Ａに近接することなくこれらに間隙を隔てて設けられている。これによりアンテナ４の交信感度が金属により低下することを防止するようになされている。このアンテナ４０は、洗濯乾燥装置１の内部に設けられたＲＦＩＤリーダライタ５０に接続されており、ＲＦＩＤリーダライタ５０は、制御部２０の制御により情報を変調して１３．５６Ｍｈｚの通信周波数によりアンテナ４０から送信すると共に、アンテナ４０を介して受信した情報を復調して制御部２０に出力するようになされている。
【００２６】
すなわち投入口５を取り囲むように巻回されたループ状のアンテナ４０においては、図６に示すように、ループ状のアンテナ４０が配置された投入口５を横切る平面（ＸＹ平面）のうち、アンテナ４０に取り囲まれた全領域において交信領域ＡＲを設定することができると共に、投入口５の中心においてこのＸＹ平面に対して垂直な方向（Ｚ方向）に最も広い交信領域ＡＲを設定することができる。
【００２７】
ＲＦＩＤリーダライタ５０は、この交信領域ＡＲが形成された投入口５を通過するＲＦＩＤであるＩＣタグ６０との間でアンテナ４０を介して通信を行う。すなわち図７に示すように、ＲＦＩＤリーダライタ５０において、制御回路５１は、ＩＣタグ６０に記録された情報を読み出すためのコマンドを一定周期で発振回路５２に出力する。ＩＣタグ６０がアンテナ４０の交信領域ＡＲ内に存在している場合、アンテナ４０とＩＣタグ６０のアンテナ６１との間に生じる電磁誘導作用により、ＩＣタグ６０の制御回路６２が不揮発性のメモリ６３内の情報を読み出す。ＩＣタグ６０の制御回路６２は、この情報を変調してアンテナ６１に出力する。またＩＣタグ６０のアンテナ６１と、洗濯乾燥装置１側のアンテナ４０との間の電磁誘導作用により、ＩＣタグ６０から送信された信号が受信回路５３において受信されると、この受信された信号が復調回路５４において復調され、制御回路５１に出力される。制御回路５１は、復調された情報を洗濯乾燥装置１全体を制御する制御部２０に出力する。またＩＣタグ６０の制御回路６２は、アンテナ６１を介して受信した信号を復調し、この復調した信号を受信データとしてメモリ６３に格納する。
【００２８】
図８に示すように、ＩＣタグ６０のメモリ６３には、このＩＣタグ６０に固有の識別情報とこのＩＣタグ６０が取り付けられている衣類の洗濯に関する情報とが書き込まれている。衣類に関する情報は、衣類の種別（例えばＴシャツ等）、衣類の素材（例えば綿１００％等）、衣類の色（例えば黄色等）、衣類の色落ちの有無、衣類の重量、洗濯装置による洗濯の可否、液剤（例えば水、石油系溶剤等）、液温、液量、洗剤（無し、弱アルカリ性、中性洗剤等）、漂白剤の使用の可否（不可、塩素系漂白剤の使用可、酵素系漂白剤の使用可等）、柔軟剤の使用の可否、洗濯槽の回転数（強、弱等）、すすぎ時間、すすぎ回数、脱水力、脱水時間、乾燥装置の使用の可否（不可、日陰干し等）、乾燥温度、乾燥時間等である。
【００２９】
またＩＣタグ６０のメモリ６３には、過去の洗濯回数、最終洗濯日等が洗濯履歴情報として書き込まれるようにもなされている。この洗濯履歴情報のＩＣタグ６０への書き込みは、洗濯終了時にこのＩＣタグ６０が取り付けられている衣類を洗濯槽１５から投入口５を介して取り出す際に実行されるようになされている。この書き込み処理については後述する。
【００３０】
このように衣類に関する種々の情報が書き込まれているＩＣタグ６０が取り付けられた衣類を、洗濯乾燥装置１に対してその投入口５を介して投入する際において、洗濯乾燥装置１の制御部２０は、各衣類のＩＣタグ６０から衣類に関する情報を読み出し、この情報に基づいて洗濯乾燥動作を制御するようになされている。
【００３１】
この洗濯乾燥動作の制御において、洗濯乾燥装置１の制御部２０は、洗濯乾燥装置１の電源が投入されると、図９に示す洗濯乾燥処理に係る処理手順に入り、ステップＳ１１において、表示部２７に洗濯モードを指定するための選択画面及び選択操作を促すメッセージを表示する。この選択画面には、例えば「ウール」、「綿１００パーセント」、「麻」等の衣類の素材を選択指定する項目等があり、ユーザはこれらの項目の中から操作部２６の操作により洗濯しようとする衣類の素材の種別を選択することができる。なおこの実施の形態の洗濯乾燥装置１においては、素材の選択以外に例えば水量を節約する「節約コース」、洗濯時間を長くする「念入りコース」等、ユーザ自身の好みに応じて洗濯乾燥モードを選択できるようにもなされているが、この処理手順では素材の選択についてのみ説明する。
【００３２】
制御部２０は、ステップＳ１２において衣類の素材の種別が選択されたか否かを判断し、選択されていない場合にはステップＳ１２からステップＳ１１に戻って選択画面を引き続き表示する。これに対してユーザが衣類の素材の選択を行った場合には、制御部２０はステップＳ１２からステップＳ１３に移り、表示部２７に衣類の投入を促すメッセージを表示する。
【００３３】
そして制御部２０は、続くステップＳ１４に移って、ＲＦＩＤリーダライタ５０を制御することにより、アンテナ４０を介して一定周期でコマンドを送信する。これにより投入口５においてＩＣタグ６０が通過した場合には、ＲＦＩＤリーダライタ５０においてそのＩＣタグ６０からアンテナ４０を介して応答信号を受信することができる状態となる。
【００３４】
この状態において制御部２０は、ステップＳ１５に移って、ＩＣタグ６０からの応答があるか否かを判断する。このステップＳ１５において否定結果が得られると、このことは、投入口５に衣類が投入されていないことを意味しており、制御部２０は、ステップＳ１５から上述のステップＳ１４に戻って、引き続き一定周期でコマンドを送信する。これに対してステップＳ１５において肯定結果が得られると、このことは、投入口５に衣類が投入されたことを意味しており、制御部２０は、ステップＳ１５からステップＳ１６に移って、受信した情報が既にＲＡＭ２３のテーブルに登録されているか否かを判断する。
【００３５】
すなわち図１０に示すように、制御部２０は、衣類が投入口５を介して投入される毎にその衣類に取り付けられているＩＣタグ６０から読み取った識別情報及び洗濯に関する情報をＲＡＭ２３のテーブルに登録するようになされている。従って読み取った識別情報がテーブルに未登録である場合には、そのＩＣタグ６０が取り付けられた衣類が投入口５に投入されたことを意味しており、これに対して読み取った識別情報がテーブルに既に登録されている場合には、そのＩＣタグ６０が取り付けられた衣類が投入口５を介して取り出されたことを意味している。
【００３６】
従ってステップＳ１６において否定結果が得られると、このことは、衣類が投入口５に投入されたことを意味しており、このとき制御部２０は、ステップＳ１６からステップＳ１７に移って、受信した識別情報及び衣類に関する情報をテーブルに登録する。そして制御部２０は、ステップＳ１８に移って、上述のステップＳ１７において登録した洗濯に関する情報に基づいて、その投入された衣類が上述のステップＳ１２において選択された素材に一致するか否かの判断により洗濯乾燥し得るものであるか否かを判断する。このステップＳ１８において肯定結果が得られると、このことは、投入された衣類が選択された素材と一致していること、すなわち上述のステップＳ１２において選択された素材に係る洗濯乾燥モードはその衣類の洗濯乾燥に適合していることを意味しており、制御部２０はステップＳ１８からステップＳ１９に移って、洗濯可能である旨を表示部２７に表示した後、ステップＳ２１に移る。
【００３７】
これに対してステップＳ１８において否定結果が得られると、このことは、投入された衣類が選択された素材と一致していないこと、すなわち上述のステップＳ１２において選択された素材に係る洗濯乾燥モードはその衣類に推奨される洗濯乾燥に適合していないことを意味しており、制御部２０はステップＳ１８からステップＳ２０に移って、選択された素材と異なる衣類である旨を表示部２７に警告表示した後、ステップＳ２１に移る。
【００３８】
これにより、制御部２０は、投入口５を介して投入された衣類がステップＳ１２において選択された素材によるものと一致するか否かの判定結果を表示部２７に表示することにより、ユーザに対して洗濯乾燥の可否を通知することができる。なおステップＳ２０における警告表示において、制御部２０は、受信した衣類に関する情報に含まれている衣類の種別を表す情報、衣類の色を表す情報等に基づいて、誤って投入された衣類の外見上の特徴（例えば、黄色いＴシャツ）を表示部２７に表示する。これにより複数の衣類が投入された場合においても、ユーザは投入された衣類の中から誤って投入された衣類を容易に見つけ出すことができる。またこの警告表示は、誤った衣類が取り出されるまで表示部２７に表示されるようになされている。これにより複数の誤った衣類が投入されている状態においては、表示部２７にこれら複数の衣類の特徴が一覧表示されることになる。
【００３９】
また上述のステップＳ１６において肯定結果が得られた場合、このことは、投入口５を通過したＩＣタグ６０（すなわち衣類）が投入口５を介して取り出されたことを意味しており、制御部２０は、ステップＳ１６からステップＳ２２に移って、受信した識別情報に基づいて、その衣類が取り出し対象であるか否かを判断する。すなわち制御部２０は、受信した識別情報が上述のステップＳ２０において警告表示された衣類と一致するか否かを判断し、一致する場合には、その衣類が取り出し対象であると判断してステップＳ２２において肯定結果を得る。この場合、制御部２０は、ステップＳ２２からステップＳ２３に移って、取り出し対象である旨を表示部２７に表示した後、ステップＳ２１に移る。これに対して受信した識別情報が上述のステップＳ２０において警告表示された衣類の識別情報と一致しない場合には、その衣類が取り出し対象でないと判断してステップＳ２２において否定結果を得る。この場合、制御部２０は、ステップＳ２２からステップＳ２４に移って、取り出し対象でない旨を表示部２７に表示した後、ステップＳ２１に移る。
【００４０】
これにより、制御部２０は、投入口５を介して取り出された衣類がステップＳ２０において警告表示された衣類であるか否かの判断結果を表示部２７に表示することにより、ユーザに対してその衣類が取り出し対象であるか否かを通知することができる。なお取り出した衣類が警告表示された衣類ではない場合にはユーザはその取り出した衣類を再度投入口５を介して洗濯槽１５の内部（すなわち洗濯ドラム１６の内部）に投入することになるが、この場合、再投入された衣類が投入口５を通過した際にその衣類のＩＣタグ６０から読み出された識別情報及び衣類に関する情報は、既にＲＡＭ２３のテーブルに登録されていることにより、テーブルへの新たな登録はなされない。
【００４１】
このようにして洗濯槽１５への衣類の投入及び投入された衣類の選別が行われた後、制御部２０は、ステップＳ２１において、衣類の投入が完了したか否かを判断する。すなわち洗濯乾燥装置１においては、操作部２６として衣類の投入が完了したことを通知するための操作子が設けられており、ユーザは洗濯しようとする衣類をすべて投入し終えると、この操作子を操作することにより、投入の完了を制御部２０に対して通知するようになされている。従ってステップＳ２１において否定結果が得られると、このことは投入完了の操作子が未だ操作されていないことを意味しており、制御部２０は、ステップＳ２１から上述のステップＳ１４に戻ってさらに衣類が投入されるのを待ち受ける。これに対してステップＳ２１において肯定結果が得られると、このことは投入完了の操作子が操作されたことを意味しており、制御部２０は、ステップＳ２１からステップＳ２５に移って、上述のステップＳ１２において選択された素材に対応した選択乾燥モードで洗濯乾燥を実行する。
【００４２】
かくして図９に示した処理手順を実行する洗濯乾燥装置１においては、洗濯しようとする衣類の素材が指定された後、衣類が投入口５を介して洗濯槽１５の洗濯ドラム１６に投入された際にその衣類が指定された素材のものであるか否かを表示することにより、ユーザは選択した素材と異なる素材の衣類が混ざって投入されたか否かを認識することができ、選択した素材と異なる素材の衣類が混ざって投入されている場合には、洗濯槽１５の洗濯ドラム１６に誤って投入された衣類を取り出すことができる。
【００４３】
ここでステップＳ２５における洗濯乾燥処理について説明する。洗濯乾燥装置１の制御部２０は、衣類の素材毎に対応した洗濯乾燥処理プログラムを予めＲＯＭ２２に格納しており、上述のステップＳ１２において選択された素材に対応するプログラムを実行するようになされている。
【００４４】
すなわち図１１に示すように、制御部２０は、ステップＳ３１において洗濯開始の指示があったか否かを判断する。ここで否定結果が得られると、このことは操作部２６の洗濯開始操作子が操作されていないことを意味しており、制御部２０はこの操作入力を待ち受ける。これに対してステップＳ３１において肯定結果が得られると、このことは洗濯開始操作子が操作されたことを意味しており、制御部２０は、ステップＳ３２に移って、上述のステップＳ１２（図９）において選択された素材に応じた洗濯乾燥モードをＲＯＭ２２から読み出してこのモードによる動作を決定する。
【００４５】
そして制御部２０は、このとき洗濯槽１５の洗濯ドラム１６に投入されている衣類の総重量がこの洗濯ドラム１６の推奨重量を超えているか否かを判断しこの判断結果に基づいて洗濯可能であるか否かを判断する。すなわち衣類が投入口５を介して投入された際にこの衣類のＩＣタグ６０から読み出される洗濯に関する情報には、その衣類の重量を示す情報が含まれており、制御部２０は、洗濯物が投入される毎にその重量を加算してＲＡＭ２３に格納するようになされている。また一旦投入された洗濯物が投入口５を介して取り出された際には、その投入口５の通過の際にＩＣタグ６０から読み出された重量を表す情報に基づいて、ＲＡＭ２３内の加算結果を減算するようになされている。これにより洗濯が開始される時点での洗濯槽１５の内部に入れられている洗濯物の総重量は、ＲＡＭ２３に格納されていることになり、制御部２０はこの総重量を読み出すと共に、この総重量がＲＯＭ２２に予め格納されている推奨重量を超えているか否かを判断することができる。
【００４６】
このようにして洗濯物の総重量が推奨重量を超えていない場合には、洗濯が可能であることになり、この場合制御部２０は、ステップＳ３３において肯定結果を得ることにより、ステップＳ３３からステップＳ３４に移って、上述のステップＳ３２において設定された洗濯乾燥モードに基づいて、洗濯乾燥装置１のモータ１８、給水機構３１、排水機構３２、ヒータ３３及び温風ヒータ３５をそれぞれ制御することにより、洗濯乾燥処理を実行する。
【００４７】
これに対して上述のステップＳ３３において否定結果が得られると、このことは、洗濯ドラム１６に入れられている洗濯物の総重量が推奨重量を超えていることを意味しており、制御部２０は、ステップＳ３３からステップＳ３５に移って、洗濯物の重量が推奨重量を超えている旨を警告表示する。この場合、操作部２６の継続操作子が操作された場合には、洗濯乾燥モードが続行されるようになされており、制御部２０はステップＳ３６に移って、この継続操作子が操作されたか否かを判断する。
【００４８】
このステップＳ３６において肯定結果が得られると、このことは継続操作子が操作されたことを意味しており、制御部２０は、上述のステップＳ３４に移って洗濯乾燥処理を開始する。これに対してステップＳ３６において否定結果が得られた場合、制御部２０は選択乾燥処理を中止する。
【００４９】
このようにして制御部２０は、選択された素材に応じた運転内容により洗濯乾燥処理を実行することができる。
【００５０】
また洗濯乾燥装置１においては、洗濯が完了した衣類のＩＣタグ６０に対して、洗濯が行われた日付等の履歴情報を書き込むようになされている。すなわち図１２に示すように、洗濯乾燥装置１の制御部２０は、洗濯乾燥処理が終了すると、ステップＳ４１において、ＲＦＩＤリーダライタ５０を制御することにより、アンテナ４０を介して一定周期でコマンドを送信する。これにより投入口５においてＩＣタグ６０が通過した場合には、ＲＦＩＤリーダライタ５０においてそのＩＣタグ６０からアンテナ４０を介して応答信号を受信することができる状態となる。
【００５１】
この状態において制御部２０は、ステップＳ４２に移って、ＩＣタグ６０からの応答があるか否かを判断する。このステップＳ４２において否定結果が得られると、このことは、投入口５を衣類が通過していないことを意味しており、制御部２０は、ステップＳ４２から上述のステップＳ４１に戻って、引き続き一定周期でコマンドを送信する。これに対してステップＳ４２において肯定結果が得られると、このことは、投入口５を衣類が通過したことを意味しており、制御部２０は、ステップＳ４２からステップＳ４３に移って、通過した衣類が洗濯済みの衣類であるか否かをＩＣタグ６０から読み出した識別情報とＲＡＭ２３のテーブルに登録されている識別情報とに基づいて判断する。すなわち通過した衣類のＩＣタグ６０から読み出した識別情報が、ＲＡＭ２３のテーブルに登録されている識別情報と一致する場合には、洗濯済みであると判断することができる。
【００５２】
このステップＳ４３において否定結果が得られると、このことは洗濯済みでない衣類が投入口５を通過したことを意味しており、このとき制御部２０は上述のステップＳ４１に戻って引き続きコマンドを送信して新たにＩＣタグ６０が通過するのを待ち受ける。これに対してステップＳ４３において肯定結果が得られると、このことは、洗濯済みの衣類が投入口５を介して取り出されたことを意味しており、このとき制御部２０は、ステップＳ４３からステップＳ４４に移って、アンテナ４０を介して書き込み情報である洗濯履歴情報を送信することにより、このとき投入口５を介して取り出される衣類のＩＣタグ６０に対して洗濯履歴情報を書き込む。この洗濯履歴情報の書き込み処理において、制御部２０は、ＩＣタグ６０に書き込まれている過去の選択回数を表す情報を一旦読み出して、洗濯回数をインクリメントした後、ＩＣタグ６０に送信することにより、この選択回数を更新する。また制御部２０は、内部に設けられたカレンダ機能により現在日をＩＣタグ６０に送信することにより、ＩＣタグ６０の最終洗濯日を表す情報を更新する。
【００５３】
このようにして洗濯履歴情報をＩＣタグ６０に書き込んだ後、制御部６０は、ステップＳ４５に移って、洗濯槽１５内にあるすべてのＩＣタグ６０に対して、洗濯履歴情報を書き込んだか否かを判断する。すなわち洗濯槽１５の内部にある衣類の識別情報はＲＡＭ２３のテーブルに登録されていることにより、衣類が投入口５を介して取り出される毎にそのテーブルの識別情報と洗濯履歴情報を書き込んだＩＣタグ６０とを比較しながら、テーブルに登録されているすべてのＩＣタグ６０に対して洗濯履歴情報が書き込まれたか否かを判断することができる。
【００５４】
ステップＳ４５において否定結果が得られると、このことはすべてのＩＣタグ６０に対して洗濯履歴情報が書き込まれていないことを意味しており、制御部２０は、上述のステップＳ４１に戻って、引き続きコマンドを送信して新たなＩＣタグ６０が投入口５を通過するのを待ち受ける。これに対してステップＳ４５において肯定結果が得られると、このことは、すべての洗濯済みの衣類のＩＣタグ６０に対して洗濯履歴情報が書き込まれたこと、すなわち洗濯槽１５の洗濯済みの衣類がすべて取り出されたことを意味しており、制御部２０はこの処理手順を終了する。
【００５５】
このように洗濯済みの衣類に取り付けられたＩＣタグ６０に対して洗濯履歴情報を書き込むことにより、そのＩＣタグ６０の洗濯履歴情報を読み取るだけで過去の洗濯履歴を容易に把握することができる。
【００５６】
次に、以上の構成を有する洗濯乾燥装置１の動作を説明する。洗濯乾燥装置１に対して衣類を投入口５を介して投入すると、この投入口５の周囲を取り囲む位置に配置されたループ状のアンテナ４０の交信領域ＡＲをＩＣタグ６０が通過することにより、ＲＦＩＤリーダライタ５０によってこのＩＣタグ６０との間において情報が送受信される。
【００５７】
これにより投入された衣類の種別、素材、色等の洗濯に関する情報が制御部２０によって判別される。ユーザは、衣類を投入する前に洗濯乾燥モードを設定することにより、制御部２０においては、設定された洗濯乾燥モードに適合した衣類が投入されたか否かを判断することができる。
【００５８】
投入された衣類の中に、そのとき設定されている洗濯乾燥モードに適合していないものがある場合、制御部２０によりその洗濯物の種別、色等、外見上判別し得る情報が表示部２７に表示される。これによりユーザは適合していない衣類を外見上容易に判断することができ、この情報に基づいて該当する衣類を洗濯槽１５の中から探して取り出すことができる。この取り出し時において、ユーザが該当すると思われる衣類を投入口５を介して洗濯槽１５の中から取り出すと、その衣類に取り付けられているＩＣタグ６０からその衣類の識別情報が読み出され、この識別情報に基づいてその衣類がこのとき設定されている洗濯乾燥モードに適合していないと判断された衣類であるか否かが判断される。そして取り出された衣類が適合していない衣類であると判断されると、その旨が表示部２７に表示されることにより、ユーザは取り出した衣類が警告表示された衣類であると判断することができる。これに対して取り出された衣類が適合している衣類であると判断されると、その旨が表示部２７に表示されることにより、ユーザは取り出した衣類が警告表示された衣類ではないと判断することができる。
【００５９】
このように設定された洗濯乾燥モードに適合しない衣類等を取り出すことができることにより、例えばその衣類に適合しない洗濯乾燥モードにより洗濯乾燥された場合等における洗い直しの手間を回避することができると共に、例えば洗濯に弱い素材の衣類等を誤って洗濯することによる衣類等の劣化を防止することができる。
【００６０】
以上説明した第１の実施の形態による洗濯乾燥装置１によれば、投入口５の全体をループ状のアンテナ４０による交信領域ＡＲとしたことにより、投入口５を通過するＩＣタグ６０から識別情報及び衣類に関する情報を確実に読み出すことができ、この結果、洗濯乾燥を行う場合に洗濯槽１５に投入された衣類を確実に判別することができる。また設定された洗濯乾燥モードに適合した衣類の判別、又は投入された衣類に応じた洗濯乾燥モードを実行することができる。かくして衣類の洗い直し等の手間を回避することができ、効率良く洗濯物を洗濯することができる。
【００６１】
（第２の実施の形態）
図１３に示す本発明の第２の実施の形態に係る洗濯乾燥装置１００は、図１について上述した第１の実施の形態における洗濯乾燥装置１と比較して、投入口５を通過するＩＣタグ６０との間で情報を送受信する構成に代えて、洗濯槽１５の内部に入れられている衣類のＩＣタグ６０との間で情報を送受信する構成が設けられている点のみが異なる。従って図１３においては、図１との対応部分に同一符号を付し、ここではその重複した説明を省略する。
【００６２】
すなわち、図１３に示すように、第２の実施の形態の洗濯乾燥装置１００においては、洗濯槽１５の内部にコイル状に巻回されてなるいわゆるパッチアンテナと呼ばれるアンテナ１４０Ａ、１４０Ｂが複数箇所に設けられている。このアンテナ１４０Ａ、１４０Ｂは、ＩＣタグ６０との間において１３．５６ＭＨｚの通信周波数で情報を送受信するようになされている。
【００６３】
また洗濯槽１５の内部に設けられた洗濯ドラム１１６は、合成樹脂等、電波を透過させることができる材質の部材により構成されており、これによりアンテナ１４０Ａ、１４０Ｂの交信領域が洗濯ドラム１１６の内部にも形成されるようになされている。
【００６４】
複数のアンテナ１４０Ａ、１４０Ｂは、それぞれ一定の指向性を有しており、これらの指向性による交信領域が洗濯ドラム１１６の内部全体に亘って設定されるように各アンテナ１４０Ａ、１４０Ｂが配置されている。これにより１つのアンテナ１４０Ａ、１４０Ｂでは洗濯ドラム１１６の内部全体を交信領域には設定し得ない場合であっても、複数のアンテナ１４０Ａ、１４０Ｂにより洗濯ドラム１１６の内部全体を交信領域とすることができる。
【００６５】
従ってアンテナ１４０Ａ、１４０Ｂに接続されたＲＦＩＤリーダライタ５０は、アンテナ１４０Ａ１４０Ｂを介して洗濯ドラム１１６の内部に投入されている衣類のＩＣタグ６０との間において情報を送受信することができる。
【００６６】
このように洗濯槽１５の内部にあるＩＣタグ６０との間において情報を送受信し得る洗濯乾燥装置１００においては、洗濯槽１５の内部（すなわち洗濯ドラム１１６の内部）に投入されたすべての衣類のＩＣタグ６０について、その識別情報及び洗濯に関する情報を読み取ることができることにより、洗濯ドラム１１６の内部のＩＣタグ６０を監視しながら、それらの洗濯に関する情報に基づいて、洗濯乾燥モードを設定することができ、また予め洗濯乾燥モードが設定されている場合には、設定された洗濯乾燥モードに適合しない衣類が混在しているか否かを判断することができる。
【００６７】
この場合、洗濯槽１５の内部に設けられた複数のアンテナ１４０Ａ、１４０Ｂにより洗濯ドラム１１６の内部に投入されている衣類のＩＣタグ６０との間において情報の送受信を行うようになされている。
【００６８】
すなわち図１４に示すように、制御部２０は、ステップＳ５１において運転が停止されているか否かを判断し、停止されている場合にはステップＳ５１からステップＳ５２に移って、ＲＦＩＤリーダライタ５０を制御することにより、複数のアンテナ１４０Ａ、１４０Ｂを介してそれぞれ一定周期でコマンドを送信する。これにより洗濯ドラム１１６に衣類が投入されている場合には、ＲＦＩＤリーダライタ５０においてその衣類のＩＣタグ６０からアンテナ１４０Ａ、１４０Ｂを介して応答信号を受信することができる状態となる。
【００６９】
この状態において制御部２０は、ステップＳ５３に移って、ＩＣタグ６０からの応答があるか否かを判断する。このステップＳ５３において否定結果が得られると、このことは、洗濯ドラム１１６に衣類が投入されていないことを意味しており、制御部２０は、ステップＳ５３から上述のステップＳ５２に戻って、引き続き一定周期でコマンドを送信する。これに対してステップＳ５３において肯定結果が得られると、このことは、洗濯ドラム１１６に衣類が投入されていることを意味しており、制御部２０は、ステップＳ５３からステップＳ５４に移って、受信した情報をＲＡＭ２３に蓄積する。
【００７０】
なお、この洗濯乾燥装置１００においては、洗濯ドラム１１６に投入された衣類のＩＣタグ６０から情報を洗濯槽１５の内部の複数のアンテナ１４０Ａ、１４０Ｂによって受信するようになされていることにより、複数のアンテナ１４０Ａ、１４０Ｂのうち、いずれかのアンテナ１４０Ａ、１４０Ｂにより情報を受信する場合と、複数のアンテナ１４０Ａ、１４０Ｂにより同じＩＣタグ６０からの情報を受信する場合がある。また洗濯ドラム１１６の内部に留まっている衣類のＩＣタグ６０から情報を受信することにより、同じＩＣタグ６０からの情報を繰り返し受信する場合もある。従って制御部２０は、受信した情報を比較することにより、同じＩＣタグ６０からの情報を重複して受信した場合には、それらの受信情報の１つをそのＩＣタグ６０からの受信情報として確定するようになされている。
【００７１】
すなわちステップＳ５５において、制御部２０は、一定時間が経過したか否かを判断し、一定時間が経過していない場合には否定結果を得て上述のステップＳ５２に戻って引き続きコマンドを送信する。これに対して一定時間が経過した場合には、制御部２０は、ステップＳ５５において肯定結果を得ることにより、ステップＳ５５からステップＳ５６に移って、この一定期間に蓄積された受信情報に含まれる識別情報に基づいて、同一のＩＣタグ６０から受信した情報同士を比較する。そして制御部２０は、続くステップＳ５７において比較結果が一致するか否かを判断する。
【００７２】
このステップＳ５７において肯定結果が得られると、このことは、同一のＩＣタグ６０から複数回受信した情報が一致することを意味しており、この場合制御部２０は、ステップＳ５７からステップＳ５８に移って、これらの受信情報のいずれかを確定する。これに対してステップＳ５７において否定結果が得られると、このことは、同一のＩＣタグ６０から複数回受信した受信情報の中に受信誤り等を原因とする誤った情報が混在していることを意味しており、この場合制御部２０は、ステップＳ５７からステップＳ５９に移って、同一のＩＣタグ６０から複数回受信した情報のうち、同じ内容の受信情報をそのＩＣタグ６０からの受信情報として確定する。例えば同じＩＣタグ６０から１つ又は２つのアンテナ１４０により４回情報が受信された場合、これら４つの受信情報のうち３つの受信情報が一致する場合には、その一致する受信情報を確定する。
【００７３】
かくして洗濯ドラム１１６の内部に留まっている衣類のＩＣタグ６０から複数のアンテナ１４０を用いて情報を受信する場合において、重複した受信情報の１つを確定することができる。
【００７４】
これにより制御部２０は、図１０について上述した場合と同様にして、洗濯ドラム１１６内に投入されている衣類の情報をＲＡＭ２３に登録することができる。制御部２０は、これらの衣類の情報に基づいて、最適な洗濯乾燥モードを設定することができ、また例えば予めユーザにより洗濯乾燥モードが設定されている場合には、その洗濯乾燥モードに適合しない衣類が混在している旨を表示部２７に警告表示することができる。
【００７５】
なお同一のＩＣタグ６０から複数受信された情報を重複して登録することを防止する方法としては、例えば受信した情報が既にテーブル上に登録しているか否かを識別情報に基づいて判断し、既に登録されている場合には登録をしない等、種々の方法を適用することができる。
【００７６】
また制御部２０は、洗濯乾燥処理が完了した場合には、洗濯ドラム１１６内の各衣類のＩＣタグ６０に対して、洗濯履歴情報を書き込むようになされている。この書き込み処理においても、複数のアンテナ１４０Ａ、１４０Ｂが設けられていること、及び衣類が洗濯ドラム１１６内に留まっていることにより、同じＩＣタグ６０に対して重複して洗濯履歴情報を書き込むことを回避するようになされている。
【００７７】
すなわち図１５に示すように、制御部２０は、洗濯乾燥装置１００の洗濯乾燥処理に係る運転が終了すると、ステップＳ６１からステップＳ６２に移って、ＲＦＩＤリーダライタ５０を制御することにより、複数のアンテナ１４０Ａ、１４０Ｂを介してそれぞれ一定周期でコマンドを送信する。これにより洗濯ドラム１１６に衣類が投入されている場合には、ＲＦＩＤリーダライタ５０においてその衣類のＩＣタグ６０からアンテナ１４０Ａ、１４０Ｂを介して応答信号を受信することができる状態となる。
【００７８】
この状態において制御部２０は、ステップＳ６３に移って、ＩＣタグ６０からの応答があるか否かを判断し、応答がある場合にはステップＳ６４に移る。ステップＳ６４において、制御部２０は、応答があったＩＣタグ６０から識別情報を読み出して、そのＩＣタグ６０が書き込み対象であるか否かを判断する。すなわち制御部２０は、洗濯ドラム１１６に衣類が投入された際において、図１０について上述したように洗濯ドラム１１６内のすべての衣類の情報をＲＡＭ２３のテーブルに登録している。従ってこのテーブルに登録されているＩＣタグ６０を書き込む対象として判別するようになされている。
【００７９】
制御部２０は、応答があったＩＣタグ６０が書き込み対象であると判断すると、ステップＳ６４において肯定結果を得ることにより、ステップＳ６５に移って、応答があったＩＣタグ６０に対して洗濯履歴情報を書き込む。そして制御部２０は、ステップＳ６６に移って、ステップＳ６５において洗濯履歴情報を書き込んだＩＣタグ６０を書き込み対象から除外する。この除外する方法としては、例えばＲＡＭ２３のテーブルに登録されているＩＣタグ６０の情報に書き込み済みのフラグを立てる等の方法、又はテーブルからそのＩＣタグ６０の情報を削除する方法等を用いることができる。
【００８０】
そして制御部２０は、ステップＳ６７に移って、運転終了後一定の時間が経過したか否かを判断し、経過していない場合には上述のステップＳ６２に戻って書き込み処理を続行し、これに対して一定時間が経過している場合には、この書き込み処理を終了する。
【００８１】
かくして制御部２０は、洗濯ドラム１１６内の洗濯済みの衣類のＩＣタグ６０に対して、洗濯履歴情報を書き込むことができる。
【００８２】
このように第２の実施の形態の洗濯乾燥装置１００によれば、洗濯槽１５の内部に交信領域が設定されるように複数のアンテナ１４０Ａ、１４０Ｂを配置したことにより、洗濯槽１５に投入された衣類を判別することができ、この衣類に応じた洗濯乾燥モードの設定、又は予め設定された洗濯乾燥モードに適合した衣類の判別を確実に行なうことができる。
【００８３】
（第３の実施の形態）
図１６に示す本発明の第３の実施の形態に係る洗濯乾燥装置２００は、図１について上述した第１の実施の形態における洗濯乾燥装置１と比較して、ループ状のアンテナ４０を投入口５の周囲に配置する構成に代えて、図１７に示すように、扉部６の一部にループ状のアンテナ４０を配置する構成となっている点のみが異なる。従って図１６においては、図１との対応部分に同一符号を付し、ここではその重複した説明を省略する。
【００８４】
図１６に示すように、第３の実施の形態の洗濯乾燥装置２００においては、扉部６の裏面側の周縁部に沿ってループ状のアンテナ４０が配置されている。この実施の形態においては、扉部６の周縁部が金属部材により構成されており、この場合にはこの金属部材の表面に樹脂材料層を介在させてアンテナ４０を設けることにより、アンテナ４０が金属材料と近接することを防止して交信領域を良好に形成し得るようになされている。なお扉部６が樹脂材料等、電波を透過し得る材質により構成されている場合には、アンテナ４０を扉部６に直接設けることもできる。このアンテナ４０は、蝶番１２を介して引き回された導線によりＲＦＩＤリーダライタ５０と接続されている。
【００８５】
また、図１７に示すように、扉部６を閉じた際にはアンテナ４０が前面部４の投入口５の周縁部に当接するようになされている。
【００８６】
図１６に示すように、裏面側にアンテナ４０を配置した扉部６を前面部４に対して略直角に開いた状態においては、アンテナ４０による交信領域が衣類等の投入口５を覆うことになり、この状態においてＩＣタグ６０が取り付けられた衣類等を投入口５に投入すると、アンテナ４０による交信領域をＩＣタグ６０が通過する。これによりＲＦＩＤリーダライタ５０は、ＩＣタグ６０との間において情報を送受信することができる。
【００８７】
従って、扉部６を開けてＩＣタグ６０が取り付けられた衣類等を投入口５から投入する際に、ＩＣタグ６０から衣類に関する情報を読み取ることができると共に、扉部６を閉じた際に洗濯槽１５の内部の衣類等に取り付けられたＩＣタグ６０から情報を読み取ることができる。従って洗濯物の投入時には、図９について上述した処理手順により、投入された衣類の情報を読み取ってそのとき設定されている洗濯乾燥モードに適合しない衣類を判別して表示部２７に警告表示することができる。
【００８８】
また、図１７に示すように、扉部６を閉じた際にアンテナ４０が前面部４の投入口５の周縁部に当接するが、この実施の形態の洗濯乾燥装置２００においては、前面部４のうち少なくとも投入口５の周縁部は電波を透過し得る樹脂材料により構成されており、扉部６を閉じた場合においても、アンテナ４０が金属部材に近接することを防止するようになされている。これにより扉部６を閉じた際には、アンテナ４０による交信領域が投入口５を介して洗濯槽１５の内部に設定され、洗濯槽１５の内部に投入された衣類を扉部６を閉じた状態で判別することもできる。
【００８９】
従って洗濯槽１５の内部の衣類のＩＣタグ６０との間において情報を送受信することにより、例えば投入時に読み取りエラーが発生した場合においても、投入された衣類に関する情報を洗濯槽１５の内部において読み取ることができる。これにより投入された衣類の情報を確実に読み取ることができ、例えば運転途中において洗濯乾燥モードに適合しない衣類が検知された場合には、一旦運転を中止して表示部２７に警告表示することができる。
【００９０】
（その他の実施の形態）
上述の第１の実施の形態においては、投入口５のゴムパッキン１０の外周にループ状のアンテナ４０を設ける場合について述べたが、本発明はこれに限られるものではなく、例えばゴムパッキン１０の外周に対して間隙を保った位置に巻回したアンテナを用いるようにしてもよく、投入口５の周囲に沿ってアンテナ４０を配置するようにすればよい。
【００９１】
また例えば図１８に示すように、投入口５の扉部６を受ける部分にアンテナ４０を配置するようにしてもよい。この場合、扉部６を受ける部分を樹脂等の電波を透過させる材質の部材１２０により構成することにより、アンテナ４０が金属の近傍に配置されることを回避して、一段と良好な通信感度の交信領域を設定することができる。
【００９２】
また図１９に示すように、ループ状のアンテナ４０に代えて、投入口５のゴムパッキン１０にダイポールアンテナ２４０Ａ、２４０Ｂを設け、それぞれに対応して設けられたＲＦＩＤリーダライタ５０Ａ、５０Ｂにより例えば２．４５ＧＨｚ程度のマイクロ波によってＩＣタグ６０との間において通信を行なうようにしてもよい。このようにマイクロ波で通信を行なう場合は、通信距離が大きくなることにより、少ないアンテナ数で投入口５を交信領域に設定することができる。なおこの場合、１つのダイポールアンテナにより投入口５を交信領域に設定することもできる。またこの場合、ダイポールアンテナ２４０Ａ、２４０Ｂに限らず、いわゆるパッチアンテナと呼ばれる平面アンテナを広く適用することができる。
【００９３】
また図２０に示すように、比較的小さなアンテナ３４０を投入口５のゴムパッキン１０に複数配置してそれぞれのアンテナ３４０を介してＲＦＩＤリーダライタにより情報を送受信するようにしてもよい。このようにすれば、個々のアンテナ３４０の交信領域が狭い場合であっても、これらのアンテナ３４０によるアンテナ群により投入口５全体を交信領域に設定してこの投入口５を通過する衣類のＩＣタグ６０との間で情報を確実に送受信することができる。
【００９４】
また上述の第１〜第３の実施の形態においては、本発明を洗濯乾燥装置１、１００、２００に適用する場合について述べたが、本発明はこれに限られるものではなく、乾燥機能のみを有する乾燥装置に適用することもできる。この場合、衣類のＩＣタグ６０から読み出された衣類に関する情報（図８）のうち、乾燥処理に関する情報を用いて乾燥装置の運転を制御するようにすればよい。
【００９５】
また上述の第１〜第３の実施の形態においては、本発明を洗濯乾燥装置１、１００、２００に適用する場合について述べたが、本発明はこれに限られるものではなく、洗濯機能のみを有する洗濯装置に適用することもできる。この場合、洗濯ドラム１６、１１６を持たない洗濯装置においても本発明を適用することができる。
【００９６】
また上述の第１〜第３の実施の形態においては、衣類を洗濯乾燥する場合について述べたが、本発明はこれに限られるものではなく、例えばシーツ等の寝具類等、種々のものを洗濯乾燥させる場合に適用することができる。
【００９７】
また上述の第１〜第３の実施の形態においては、洗濯乾燥装置１、１００、２００に制御部２０を設ける場合について述べたが、本発明はこれに限られるものではなく、例えば複数の洗濯乾燥装置を１つの制御部２０により制御するようにしてもよい。
【００９８】
また上述の第１〜第３の実施の形態においては、予め設定された洗濯乾燥モードに適合しない衣類が混在している場合に警告表示する場合について述べたが、本発明はこれに限られるものではなく、例えば洗濯時間が長い衣類と洗濯時間が短い衣類とを混在させて洗濯を開始すると共にこれらの衣類に関する情報をそれぞれの衣類に取り付けられたＩＣタグ６０から読み出してテーブルに登録しておき、洗濯時間が短い衣類の推奨洗濯時間が経過した時点で一旦洗濯を中止し、洗濯時間が短い衣類を特定し得るようにＩＣタグ６０から読み取った情報に基づいて表示するようにしてもよい。例えば「黄色いＴシャツを取り出して下さい」のような表示を行なうことにより特定の衣類を取り出すように促すことができる。
【００９９】
また上述の第１〜第３の実施の形態においては、周縁形状が円形である投入口を有する洗濯乾燥装置１、１００、２００に本発明を適用したが、例えば周縁形状が四角形である投入口を有する洗濯乾燥装置においても適用することができる。
【図面の簡単な説明】
【０１００】
【図１】本発明の第１の実施の形態に係る洗濯乾燥装置を示す断面図である。
【図２】図１の洗濯乾燥装置を示す斜視図である。
【図３】図１の洗濯乾燥装置の正面図である。
【図４】図１の洗濯乾燥装置の正面図である。
【図５】図１の洗濯乾燥装置に設けられた制御部を示すブロック図である。
【図６】図１の洗濯乾燥装置のアンテナの交信領域を示す略線図である。
【図７】図１の洗濯乾燥装置及びＩＣタグを示すブロック図である。
【図８】ＩＣタグに書き込まれている情報を示す図表である。
【図９】図１の洗濯乾燥装置の洗濯乾燥処理手順を示すフローチャートである。
【図１０】図１の洗濯乾燥装置の制御部によって作成されたテーブルを示す図表である。
【図１１】図１の洗濯乾燥装置１の洗濯制御の処理手順を示すフローチャートである。
【図１２】図１の洗濯乾燥装置における書き込み処理手順を示すフローチャートである。
【図１３】本発明の第２の実施の形態に係る洗濯乾燥装置を示す断面図である。
【図１４】図１３の洗濯乾燥装置における情報受信処理手順を示すフローチャートである。
【図１５】図１３の洗濯乾燥装置における書き込み処理手順を示すフローチャートである。
【図１６】本発明の第３の実施の形態に係る洗濯乾燥装置を示す斜視図である。
【図１７】図１６の洗濯乾燥装置の断面図である。
【図１８】本発明の他の実施の形態を示す斜視図である。
【図１９】本発明の他の実施の形態を示す略線図である。
【図２０】本発明の他の実施の形態を示す略線図である。
【符号の説明】
【０１０１】
１、１００、２００…洗濯乾燥装置、３…筐体、４…前面部、５…投入口、６…扉部、１０…ゴムパッキン、１５…洗濯槽、１６…洗濯ドラム、２０…制御部、２３…ＲＡＭ、２６…操作部、２７…表示部、４０…アンテナ、５０…ＲＦＩＤリーダライタ、５１…制御回路、６０…ＩＣタグ。
【図１】
2006075527.tif 000003
【図２】
2006075527.tif 000004
【図３】
2006075527.tif 000005
【図４】
2006075527.tif 000006
【図５】
2006075527.tif 000007
【図６】
2006075527.tif 000008
【図７】
2006075527.tif 000009
【図８】
2006075527.tif 000010
【図９】
2006075527.tif 000011
【図１０】
2006075527.tif 000012
【図１１】
2006075527.tif 000013
【図１２】
2006075527.tif 000014
【図１３】
2006075527.tif 000015
【図１４】
2006075527.tif 000016
【図１５】
2006075527.tif 000017
【図１６】
2006075527.tif 000018
【図１７】
2006075527.tif 000019
【図１８】
2006075527.tif 000020
【図１９】
2006075527.tif 000021
【図２０】
2006075527.tif 000022